(57)【特許請求の範囲】
【請求項１】
半導体基板上のフォトレジストを剥離する半導体基板処理装置であって、
薬液を貯める処理槽と、
前記処理槽内の前記薬液を循環するために設けられ、前記薬液が前記処理槽と第１循環ポンプと第１フィルターとを順に循環する第１の循環経路と、
前記処理槽内の前記薬液を循環するために前記第１の循環経路と並列に設けられ、前記薬液が前記処理槽と第２循環ポンプと第２フィルターとを順に循環する第２の循環経路と、
前記処理槽の前記薬液にオゾンガス拡散治具を介してオゾンガスを供給するオゾンガス発生装置と、
前記薬液が前記第２の循環経路を循環すること無しに、前記第１循環ポンプと前記第１フィルターと前記オゾンガス発生装置からのオゾンガスが供給されるガス導入治具とを順に循環する第３の循環経路と、
からなることを特徴とする半導体基板処理装置。
【請求項２】
半導体基板上のフォトレジストを剥離する方法であって、
処理槽と第１循環ポンプと第１フィルターを順に通る第１の循環経路にオゾンガスを導入した薬液を循環させる工程と、
前記フォトレジストが付いた前記半導体基板を前記処理槽に浸漬する工程と、
前記フォトレジストが前記処理槽に溶解したら、前記処理槽と第２循環ポンプと第２フィルターを順に通る第２の循環経路にオゾンガスを導入した前記薬液を循環させて前記処理槽に戻すという循環を行うとともに、前記第１循環ポンプと前記第１フィルターとガス導入治具を順に通る第３の循環経路を循環する前記薬液にオゾンガスを導入して前記第１フィルターを清浄にする工程と、
からなるフォトレジストを剥離する方法。
【請求項３】
半導体基板上に設けられた半導体装置の製造方法であって、
フォトレジストを剥離する剥離工程を有しており、
前記剥離工程は、
処理槽と第１循環ポンプと第１フィルターを順に通る第１の循環経路にオゾンガスを導入した薬液を循環させる工程と、
前記フォトレジストが付いた前記半導体基板を前記処理槽に浸漬する工程と、
前記フォトレジストが前記処理槽に溶解したら、前記処理槽と第２循環ポンプと第２フィルターを順に通る第２の循環経路にオゾンガスを導入した前記薬液を循環させて前記処理槽に戻すという循環を行うとともに、前記第１循環ポンプと前記第１フィルターとガス導入治具を順に通る第３の循環経路を循環する前記薬液にオゾンガスを導入して前記第１フィルターを清浄にする工程と、
を有することを特徴とする半導体装置の製造方法。
【発明の詳細な説明】
【技術分野】
【０００１】
本発明は、半導体装置を製造する過程であるフォトリソグラフィーにおいて、主に、基板表面に塗布されたフォトレジストを剥離する工程、ならびに、半導体基板表面に付着する有機物質を除去する工程に用いる半導体基板処理装置に関する。
【背景技術】
【０００２】
半導体基板を用いた半導体装置の製造においては、半導体基板表面に塗布されたフォトレジストを基板表面から剥離する工程や半導体基板表面に付着した有機物質を除去するために硫酸と過酸化水素水の混合液を１２０度以上の温度に加熱した薬液に半導体基板を浸し、その後、純水による洗浄、乾燥処理が施す処理が行われてきた。これは、硫酸と過酸化水素水の反応によって発生するペルオキソ２硫酸等、非常に酸化性が強い物質により、半導体基板表面のフォトレジスト等の物質が溶解または剥離されることを利用した技術である。
【０００３】
さらに、これに替わる手段として、高温の硫酸にオゾンガスを注入して硫酸とオゾンガスを処理槽内に導入し、硫酸とオゾンガスの反応により生成されるペルオキソ２硫酸等の酸化性が強い物質により硫酸と過酸化水素水の混合液と同じ効果を得る技術が提案されている。（例えば、特許文献１参照。）
【先行技術文献】
【特許文献】
【０００４】
【特許文献１】特開平１１−１７４６９２号公報
【発明の概要】
【発明が解決しようとする課題】
【０００５】
しかしながら、特許文献１に開示された装置で半導体基板の処理を実施すると、剥離したフォトレジスト膜がまずフィルターに捕獲されるが、剥離直後では、レジストが大量に剥離するため、フィルターがレジストにより汚れてしまい、捕獲性能が低下して捕獲しきれいないレジストが微粒子となってウェハに再付着してしまう可能性がある。また、オゾンを薬液中に浸透膜を利用して溶かし込める濃度に限界があるので、半導体基板表面に転写されているパターンによっては、レジストが剥離しにくい部分があり、長時間の処理によっても、基板表面にレジストが残ってしまうという問題がある。
【０００６】
本発明は、上記問題を解決するためになされたものであって、半導体基板処理装置において、オゾンを直接洗浄槽内に拡散させ、薬液に十分な濃度を供給しながら、フィルターの汚れが半導体基板表面に及ぼす影響をなくすことを課題とする。
【課題を解決するための手段】
【０００７】
本発明は、半導体基板を処理する槽に対して循環ラインを設け、その循環ラインに２つの循環ポンプと２つのフィルターを設けたことを特徴としている。さらに、循環ライン内には、オゾンガスを薬液中に溶かし込むガス導入冶具が組み込まれていることを特徴としている。
【発明の効果】
【０００８】
上記手段を用いることでレジスト剥離処理後に半導体基板表面に残留する微粒子数を低減できる。
【図面の簡単な説明】
【０００９】
【図１】本発明の実施例である半導体基板処理装置を示す概略図である。
【図２】本発明の実施例である半導体基板処理装置を示す概略図に薬液の第１の循環方向を設けた図である。
【図３】本発明の実施例である半導体基板処理装置を示す概略図に薬液の第２の循環方向を設けた図である。
【図４】本発明の実施例である半導体基板処理装置で処理した時の残留微粒子数を従来技術と比較した図である。
【発明を実施するための形態】
【００１０】
以下、図面を参照して、本発明の実施例を説明する。
図１は本発明の実施例である半導体基板処理装置の概略を示したものである。
処理槽１２は、その内部にヒーター４０とオゾンガス拡散治具３１とスノコ状治具１５を有し、スノコ状治具１５の上に半導体基板１を収納するウェハ保持治具１６を置いて薬液処理することができる。処理層１２には薬液を投入する薬液投入装置１０が薬液投入バルブ１１１および配管を介して接続されている。半導体基板１の表面には多数の半導体装置２が縦横に規則正しく配置されている。
【００１１】
また、処理層１２には薬液循環のための配管が複数設けられている。薬液は処理槽１２の上部からオーバーフローし、切替えバルブ１１２、１１３、１１４、フィルター１４１、１４２、循環ポンプ１３１、１３２、そして配管を介して処理槽１２に戻されることになる。第１循環ポンプ１３１と第１フィルター１４１は直列に接続され、第２循環ポンプ１３２と第２フィルター１４２も直列に接続されている。また、直列に接続された第１循環ポンプ１３１と第１フィルター１４１とは、直列に接続された第２循環ポンプ１３２と第２フィルター１４２とに対して並列に接続されている。第１循環ポンプ１３１と第２循環ポンプ１３２の間には第１切替えバルブ１１２が設けられ、第１フィルター１４１と第２フィルター１４２の間には第２切替えバルブが設けられている。さらに、処理槽１２にオゾンガスを注入するためのオゾンガス発生装置３０が第１オゾンガス投入バルブ３２１および配管を介して設けられている。オゾンガス発生装置３０は薬液循環系にも第２オゾンガス投入バルブ３２２および配管を介してガス導入治具３４にて接続されている。なお、以上で説明した薬液投入バルブ，ヒーター、切替えバルブ、循環ポンプ、オゾンガス投入バルブ等は制御部５０によって制御されている。
【００１２】
次に、図１を用いて、本発明により実施される半導体基板の処理を例にとり説明をしていく。
半導体基板１はカセット等のウェハ保持治具１６に収容されて処理槽１２内に導入される。処理槽１２内にはウェハ保持治具１６を置くためのスノコ状冶具１５が収められており、ウェハ保持冶具１６はこの上で半導体基板を保持する機構となっている。まず、ウェハ保持冶具１６は図示していない搬送ロボットにより処理槽１２内に搬入される。
【００１３】
処理槽１２内には薬液投入装置１０から薬液投入バルブ１１１の開閉により処理槽中に薬液が供給される。この薬液には主に硫酸が用いられる。薬液は半導体基板１が処理槽１２に搬入される以前に処理槽１２内に貯留する。貯留された薬液は第１循環ポンプ１３１により循環され、循環する薬液は第１フィルター１４１により濾過される。このとき、バルブの開閉状態は、第１切替えバルブ１１２：開、第２切替えバルブ１１３：開、第３切替えバルブ１１４：閉である。
【００１４】
処理槽１２内には薬液を加熱するためのヒーター４０が収められており、このヒーター４０により処理槽１２内に貯留された薬液を所定の温度まで加熱する。また、処理槽１２内のスノコ状治具１５の下部にオゾンガスを処理槽１２内部に拡散するオゾンガス拡散冶具３１が付加されている。オゾンガス発生装置３０で発生したガスは、第１オゾンガス投入バルブ３２１を開くことによりオゾンガス拡散冶具３１を通して処理槽１２内に貯留した薬液中に拡散する。一連の処理のシーケンスは、制御部５０によって全て一元的に制御される。この制御は、いわゆるレシピによって規定され、制御部はこのレシピで設定した命令にしたがって制御を実施する。以下に処理シーケンスの一例を示す。
ステップ１
処理槽１２に硫酸を定量まで洗浄槽に投入する。このとき使用する硫酸の濃度は、半導体用として販売されているもののなかで最大濃度（９６％以上）であることが望ましい。
ステップ２
処理槽１２に投入した硫酸を設定した温度までヒーター４０により加熱する。このときの硫酸の温度は１４０℃以上が望ましい。
ステップ３
フォトレジストが付着した半導体基板１を硫酸が入った処理槽１２に浸す。
ステップ４
オゾンガスを処理槽１２内にオゾンガス拡散治具３１を通して導入する。オゾンガスの流量は１０Ｌ〜１５Ｌが望ましい。これ以上の流量を導入するとガスの液中のガスの流れにより、半導体基板１が薬液中で振動をして、基板の破損につながる恐れがある。
【００１５】
このときの薬液の循環経路は、図２に示している。図中の矢印は薬液が流れる方向を示している。この循環経路を第１の循環経路と呼ぶことにする。この時のバルブの開閉の設定は、第１切替えバルブ１１２：開、第２切替えバルブ１１３：開、第３切替えバルブ１１４：閉である。
ステップ５
設定時間まで、半導体基板１を処理槽１２に浸す。浸す時間は５分から１０分程度が望ましい。時間が短いと、表面に多量のレジストが残ってしまう。また長すぎると、生産性が悪くなってしまう。このとき処理槽１２内ではレジストの剥離が始まっている。１０分程度までは処理を進めると、薬液の色はほぼ無色になるが、フィルターはレジストの剥離カスの影響で茶褐色に変色している。
ステップ６
設定時間が来たら、バルブの設定を、第１切替えバルブ１１２：閉、第２切替えバルブ１１３：閉、第３切替えバルブ１１４：開に変更する。すると、薬液の循環経路は図３に示すように変更される。処理槽１２からの薬液はレジストによって汚染されていない第２フィルター１４２を通過して処理槽１２へと循環することになり、レジストによる半導体基板１の汚染はほとんど無い。これを第２の循環経路と呼ぶ。この時点では残りのレジストは十分少量になっており、レジストがフィルターを汚染することが無くなる。
【００１６】
また第１のフィルター１４１に捕獲されたレジストの微粒子も循環している硫酸とオゾンの反応液に溶かし込まれていく。このとき第１のフィルター１４１に薬液が循環する経路を第３の循環経路と呼ぶ。処理時間は０〜５分程度が望ましい。切替えバルブ１１２，１１３,１１４の開閉変更と同時に、第２オゾンガス投入バルブ３２２を開とする。そうすると、オゾンガスがガス導入冶具３４を通して薬液中に浸透していく。この時のオゾンガス流量は１〜５Ｌ程度が望ましい。これにより、レジストが付着した第１フィルター１４１は硫酸とオゾンガスの反応した薬液で循環洗浄されることになり、次のバッチ処理時には綺麗な状態で処理を開始できる。
ステップ７
設定時間完了後、半導体基板１を処理槽１２から純水に満たされた純水槽に移し、半導体基板１表面に残った薬液成分を取り除く。このときバルブの設定は、第１切替えバルブ１１２：開、第２切替えバルブ１１３：開、第３切替えバルブ１１４：閉の状態に切り替える。オゾンガスの供給は、この時点で止めるため、第２オゾンガス投入バルブ３２２は閉とする。
ステップ８
半導体基板１を純水槽から乾燥装置に移動して乾燥する。
以上でシーケンスの一例は終了となる。
【００１７】
以上説明したように、通常は第１循環ポンプ１３１と第１フィルター１４１を通る第１循環ラインでオゾンガスを導入した薬液を循環させ、レジスト剥離によってレジストが処理槽１２に溶解したら、第２循環ポンプ１３２と第２フィルター１４２を通る第２循環ラインにオゾンガスを導入した薬液を循環させて処理槽１２に戻すという循環を行うとともに、第１循環ポンプ１３１と第１フィルター１４１とガス導入治具３４を通る第３循環ラインにオゾンガスを導入して第１フィルター１４１を清浄にするというのが一つの処理サイクルになる。
【００１８】
図４は、本発明の半導体基板処理装置で処理した時の残留微粒子数を示す図である。従来技術を用いた場合と本発明を用いた場合で、処理後に半導体基板表面に残留する微粒子数を比較している。この図によれば、本発明により、半導体基板表面に残留した微粒子数が減少したことが明らかである。
【符号の説明】
【００１９】
１      半導体基板
２      半導体装置
１０    薬液投入装置
１２    処理槽
１５    スノコ状冶具
１６    ウェハ保持冶具
３０    オゾンガス発生装置
３１    オゾンガス拡散冶具
３４    ガス導入治具
４０    ヒーター
５０    制御部
１１１  薬液投入バルブ
１１２  第１切替えバルブ
１１３  第２切替えバルブ
１１４  第３切替えバルブ
１３１  第１循環ポンプ
１３２  第２循環ポンプ
１４１  第１フィルター
１４２  第２フィルター
３２１  第１オゾンガス投入バルブ
３２２  第２オゾンガス投入バルブ
【図１】
0006592316.tif 000002
【図２】
0006592316.tif 000003
【図３】
0006592316.tif 000004
【図４】
0006592316.tif 000005